(57)【要約】【課題】  コンテンツの一部が他の記録媒体に移動されても、何れの記録媒体に移動されたかをユーザが特定し得る記録再生装置を提供する。【解決手段】  記録再生装置は、コンテンツにおける移動部分の移動先が特定される移動先情報を生成する移動先情報生成部７３ａと、第２記録媒体に移動部分を移動し、第１記録媒体２ａに残留した残留部分から構成される残留コンテンツと対応付けて、移動先情報を第１記録媒体２ａに記録するムーブ処理部７２ａとを備える。【選択図】  図４
2006155819.tif 000002
【特許請求の範囲】
【請求項１】
コンテンツにおける移動部分の移動先が特定される移動先情報を生成する移動先情報生成手段と、
移動先の記録媒体に前記移動部分を移動し、移動元の記録媒体に残留した前記コンテンツにおける残留部分から構成される残留コンテンツと対応付けて、前記移動先情報を移動元の記録媒体に記録する移動手段と
を備えることを特徴とする記録再生装置。
【請求項２】
前記移動手段は、前記移動先情報が挿入される挿入部分と前記残留部分とから前記残留コンテンツを構成し、前記残留コンテンツの先頭、前記移動部分に先行する前記残留部分の後、前記移動部分に後続する前記残留部分の前のいずれかに前記挿入部分を設ける
ことを特徴とする請求項１に記載の記録再生装置。
【請求項３】
前記移動先情報生成手段は、音声信号、及び映像信号のいずれかとして再生される前記移動先情報を生成する
ことを特徴とする請求項１に記載の記録再生装置。
【請求項４】
前記移動手段は、前記残留コンテンツにおいて前記移動部分と隣接していた部分同士をつなぐブリッジクリップに前記移動先情報を挿入する
ことを特徴とする請求項１に記載の記録再生装置。
【請求項５】
前記移動手段は、前記残留コンテンツを管理する際に参照されるコンテンツ管理情報に前記移動先情報を挿入する
ことを特徴とする請求項１に記載の記録再生装置。
【請求項６】
前記移動先情報生成手段は、前記移動先の記録媒体が特定される情報をユーザから受け付け、受け付けた情報に基づいて、前記移動先情報を生成する
ことを特徴とする請求項１に記載の記録再生装置。
【請求項７】
前記移動先情報生成手段は、記録媒体に固有の情報を移動先の記録媒体から取得し、取得した情報に基づいて、前記移動先情報を生成する
ことを特徴とする請求項１に記載の記録再生装置。
【請求項８】
（ａ）コンテンツにおける移動部分の移動先が特定される移動先情報を含み、（ｂ）移動先の記録媒体に前記移動部分が移動されて移動元の記録媒体に残留した前記コンテンツにおける残留部分から構成される残留コンテンツを記録したことを特徴とする記録媒体。
【請求項９】
コンテンツにおける移動部分の移動先が特定される移動先情報を生成する移動先情報生成ステップと、
移動先の記録媒体に前記移動部分を移動し、移動元の記録媒体に残留した前記コンテンツにおける残留部分から構成される残留コンテンツと対応付けて、前記移動先情報を移動元の記録媒体に記録する移動ステップと
を含むことを特徴とするコンテンツ保護方法。
【請求項１０】
コンテンツにおける移動部分の移動先が特定される移動先情報を生成する移動先情報生成ステップと、
移動先の記録媒体に前記移動部分を移動し、移動元の記録媒体に残留した前記コンテンツにおける残留部分から構成される残留コンテンツと対応付けて、前記移動先情報を移動元の記録媒体に記録する移動ステップと
をコンピュータシステムに実行させることを特徴とするコンテンツ保護プログラム。
【請求項１１】
コンテンツにおける移動部分の移動先が特定される移動先情報を生成する移動先情報生成手段と、
移動先の記録媒体に前記移動部分を移動し、移動元の記録媒体に残留した前記コンテンツにおける残留部分から構成される残留コンテンツと対応付けて、前記移動先情報を移動元の記録媒体に記録する移動手段と
を備えることを特徴とするコンテンツ保護回路。
【発明の詳細な説明】
【技術分野】
【０００１】
本発明は、音声・映像などのコンテンツを記録再生する記録再生装置に関し、特に、著作権保護対象のコンテンツの部分移動に伴う再生不能部分の移動先をユーザに告知する記録再生装置に関する。
【背景技術】
【０００２】
近年、高画質ハイビジョン放送（以下、ＨＤＴＶと呼称する。）を含むデジタルテレビ放送によって、オリジナルと遜色の無い高品質な音声・映像コンテンツ（以下、単にコンテンツと略称する。）を各家庭に提供することができる。さらに、デジタルテレビ放送で放送されたコンテンツを受信し、受信したコンテンツをハードディスク、書き換え可能な光ディスクなどに記録するデジタルビデオレコーダも商品化されている。
【０００３】
これに伴い、映像コンテンツの著作権保護の重要性が増し、例えば、衛星デジタル放送、地上デジタル放送においては、コピー・ワンス制御と呼ばれる仕組みが２００４年から導入されている。
【０００４】
具体的には、「１回だけ録画可能」の制御信号を音声・映像データに加え、加えたものも含めて暗号化する。さらに、暗号化して得られたデジタルデータを放送する。そして、放送を受信した際に１回だけ、受信した放送をデジタルで記録することが許容される。すなわち、コピー・ワンスの制御信号が加えられた音声・映像データは、ハードディスク、書き換え可能な光ディスクなどの記録媒体に記録することができる。ただし、記録した時点でコピー・ワンスの制御信号がコピー禁止の制御信号に書き換えられるため、記録したものを別の記録媒体にコピーすることが禁止される。例外として、最初に記録した記録媒体から削除または再生無効化したうえで別の記録媒体に移動することは認められている（例えば、非特許文献１参照。）。
【非特許文献１】ＡＲＩＢ  ＴＲ−Ｂ１４  「地上デジタルテレビジョン放送運用規定技術資料」  第八編  ”地上デジタルテレビジョン放送コンテンツ保護規定”
【発明の開示】
【発明が解決しようとする課題】
【０００５】
しかしながら、前記従来の技術においては、コンテンツの一部を他の記録媒体に移動した場合において、そのコンテンツの残留部分を再生していて、突然、再生されなくなるため、ユーザにとっての配慮が足りない。また、コンテンツの先頭部分を再生していて、途中の移動された部分を続けて再生したい場合には、その部分が移動された記録媒体が何れであるかを判別することが困難という問題がある。
【０００６】
特に、コンテンツの一部を他の記録媒体に移動し、そのコンテンツの残留部分を、さらに、他の記録媒体に移動した場合には、２番目に移動された残留部分を再生したユーザが、先に移動された部分を再生したくとも、何れの記録媒体に移動されたかを探すことが困難という問題がある。
【０００７】
そこで、本発明は、前記問題に鑑みてなされたものであり、コンテンツの一部が他の記録媒体に移動されても、何れの記録媒体に移動されたかをユーザが特定し得る記録再生装置を提供することを目的とする。
【課題を解決するための手段】
【０００８】
前記目的を達成するために、本発明に係る記録再生装置は、（ａ）コンテンツにおける移動部分の移動先が特定される移動先情報を生成する移動先情報生成手段と、（ｂ）移動先の記録媒体に前記移動部分を移動し、移動元の記録媒体に残留した前記コンテンツにおける残留部分から構成される残留コンテンツと対応付けて、前記移動先情報を移動元の記録媒体に記録する移動手段とを備えることとする。
【０００９】
これによって、移動元の記録媒体に記録されている残留コンテンツの再生に伴い、移動先情報を確認することで、移動先の記録媒体を特定することができる。
【００１０】
なお、本発明は、記録再生装置として実現されるだけではなく、記録再生装置を制御する方法（以下、記録再生制御方法と呼称する。）、記録再生制御方法をコンピュータシステム等に実行させる記録再生制御プログラム、記録再生制御プログラムを記録した記録媒体、記録再生装置に組み込まれるシステムＬＳＩ等として実現されるとしてもよい。
【００１１】
また、記録再生装置において生成されたコンテンツを記録した記録媒体として実現されるとしてもよい。
【００１２】
また、著作権保護対象のコンテンツを保護する機能（以下、コンテンツ保護機能と呼称する。）が組み込まれたシステムＬＳＩ、コンテンツ保護機能をＦＰＧＡ、ＣＰＬＤ等のプログラマブル・ロジック・デバイスに形成するＩＰコア（以下、コンテンツ保護コアと呼称する。）、コンテンツ保護コアを記録した記録媒体として実現されるとしてもよい。
【発明の効果】
【００１３】
以上、本発明に係る記録再生装置によれば、著作権保護対象のコンテンツ又はその一部を第１の記録媒体から第２の記録媒体に移動する際に、第１の記録媒体に記録されていたコンテンツのうち、第１の記録媒体に残留した部分（以下、残留部分と呼称する。）と、第２の記録媒体に移動されて再生不能な状態に書き換えられた部分（以下、移動部分と呼称する。）とから構成されるコンテンツ（以下、残留コンテンツと呼称する。）の先頭部分と移動部分とに移動先情報を挿入する。そして、残留コンテンツを再生する際に、移動先情報を挿入した部分も含めて再生する。
【００１４】
これにより、移動部分の内容についても、ユーザが続けて再生する際に、移動先情報を確認することで、移動先の記録媒体を特定することができる。
【００１５】
特に、コンテンツの一部を他の記録媒体に移動し、残留コンテンツを、さらに、他の記録媒体に移動した場合には、２番目に移動したコンテンツ、すなわち、残留コンテンツを再生したユーザが、１番目に移動した部分を再生したい場合には、２番目に移動したコンテンツに挿入された移動先情報を確認して、１番目に移動した部分が、何れの記録媒体に移動されたかを特定することができる。
【発明を実施するための最良の形態】
【００１６】
（実施の形態）
以下、本発明の実施の形態について図面を参照しながら説明する。
【００１７】
図１に示されるように、本発明の実施の形態における記録再生装置１ａは、衛星デジタル放送、地上デジタル放送などによって放送された音声・映像コンテンツ（以下、単にコンテンツと略称する。）を記録再生する装置である。さらに、著作権保護対象のコンテンツに対しては、移動することができても複写することができないような機能（以下、コンテンツ保護機能と呼称する。）が組み込まれている。
【００１８】
また、第１記録媒体２ａから第２記録媒体３ａに著作権保護対象のコンテンツの一部を移動する際には、第１の記録媒体２ａに記録されていたコンテンツのうち、第１の記録媒体２ａに残留した部分（以下、残留部分と呼称する。）１１１、１１３と、第２の記録媒体３ａに移動されて再生不能な状態に書き換えられた部分（以下、移動部分と呼称する。）とから構成されるコンテンツ（以下、残留コンテンツと呼称する。）１０２の先頭部分と移動部分とに、移動先に係る情報（以下、移動先情報と呼称する。）を挿入して第１記録媒体に記録する。そして、ユーザが残留コンテンツ１０２を再生する際に、移動先情報が挿入された部分（以下、挿入部分と呼称する。）１２１、１２２が再生されると、ディスプレイ５ａを介してユーザに移動先を知らせることを特徴とする。
【００１９】
以上の点を踏まえて実施の形態における記録再生装置１ａについて説明する。
先ず、実施の形態における記録再生装置１ａのハードウェア構成について説明する。
【００２０】
図２に示されるように、記録再生装置１ａは、マイクロプロセッサ１１ａ、システムＬＳＩ（Large Scale Integration）１２ａ、ＲＡＭ（Random Access Memory）１３ａ、ＲＯＭ（Read Only Memory）１４ａ、入出力インターフェース１５ａなどを備える。
【００２１】
マイクロプロセッサ１１ａは、記録再生処理を実行するにあたって要する諸々の処理を実行する中央演算処理ユニットである。
【００２２】
システムＬＳＩ１２ａは、記録再生処理を実行するにあたって要する画像処理を実行する集積回路である。例えば、ＭＰＥＧ（Moving Picture Experts Group）、ＪＰＥＧ（Joint Photographic Experts Group）、Ｈ．２６４等のような画像圧縮方式に基づいて画像を圧縮伸長するコーデックなどである。
【００２３】
ＲＡＭ１３ａは、データの読み出し書き込みが随時可能な半導体メモリである。例えば、ＤＲＡＭ（Dynamic Random Access Memory）やＳＲＡＭ（Static Random Access Memory）などである。
【００２４】
ＲＯＭ１４ａは、読み出し専用のメモリである。例えば、電気的に内容を書き換えることができるＥＥＰＲＯＭ（Electronically Erasable and Programmable Read Only Memory）などである。
【００２５】
入出力インターフェース１５ａは、図には示されてはいないが、記録再生装置１ａに接続されている内部機器と外部機器とに対してデータの入出力を行う入出力インターフェースである。例えば、（ａ）アナログ映像入出力、アナログ音声入出力、デジタル映像入出力、デジタル音声入出力等のような音声・映像入出力インターフェース、（ｂ）Ｂｌｕｅｔｏｏｔｈ、ＩｒＤＡ（Infrared Data Association）、赤外線通信ポート等のような短距離無線伝送インターフェース、（ｃ）ＵＳＢ（Universal Serial Bus）、ＩＥＥＥ（Institute of Electrical and Electronics Engineers）１３９４、シリアルＡＴＡ（AT Attachment）等のようなシリアル伝送インターフェース、（ｄ）ＡＴＡＰＩ（AT Attachment Packet Interface）等のようなパラレル伝送インターフェース、（ｅ）ＩＥＥＥ８０２．３、ＩＥＥＥ８０２．１１等のようなネットワークインターフェースなどである。
【００２６】
さらに、記録再生装置１ａは、入出力インターフェース１５ａに接続されている第１記録再生ドライブ２１ａ、第２記録再生ドライブ３１ａも備える。
【００２７】
第１記録再生ドライブ２１ａは、第１記録媒体２ａに対して読み書き可能な装置である。
【００２８】
第２記録再生ドライブ３１ａは、第２記録媒体３ａに対して読み書き可能な装置である。
【００２９】
第１記録媒体２ａ、第２記録媒体３ａとしては、ＢＤ−ＲＥ（Blu-ray Disk Rewritable）、ＨＤＤ（Hard Disk Drive）、ＤＶＤ−ＲＡＭ、ＳＤ（Secure Digital）メモリカードなどである。
【００３０】
なお、図には示されてはいないが、ＲＯＭ１４ａには、記録再生装置１ａを制御する組み込みＯＳ（Operating System）、ＯＳが周辺機器を制御する際に要するデバイスドライバ、ＯＳ上で動作するミドルウェア、ユーザインターフェース等のアプリケーションソフト等（以下、記録再生装置制御プログラムと呼称する。）が格納されている。そして、記録再生装置制御プログラムは、記録再生装置１ａの通電とともに、ＲＯＭ１４ａから読み出されてＲＡＭ１３ａに格納されて、本発明に係る各機能を記録再生装置１ａに実現する。
【００３１】
続いて、実施の形態における記録再生装置１ａの機能構成について説明する。
図３に示されるように、記録再生装置１ａは、入力部５１ａ、第１記録再生部５２ａ、コンテンツ復号部５３ａ、出力部５４ａ、第２記録再生部５５ａなどを備える。
【００３２】
入力部５１ａは、図には示されてはいないが、チューナにより選局されたデジタルテレビ放送信号を復調し、復調したデジタルテレビ放送信号をコンテンツとして第１記録再生部５２ａに出力する。また、リモート・コントローラ等を介してユーザから指示や設定に係る操作情報を受け付け、受け付けた操作情報を第１記録再生部５２ａに出力する。
【００３３】
第１記録再生部５２ａは、入力部５１ａから出力されたコンテンツを記録する際には、入力部５１ａから出力されたコンテンツに対して必要な処理を施した後に、必要な処理を施したコンテンツを第１記録媒体２ａに書き込む。例えば、第１記録再生部５２ａは、著作権保護対象のコンテンツに対しては、そのコンテンツに含まれるコピー・ワンスの制御信号をコピー禁止の制御信号に書き換える。
【００３４】
また、第１記録再生部５２ａは、第１記録媒体２ａに記録されているコンテンツを再生する際には、再生対象のコンテンツを第１記録媒体２ａから読み出し、読み出したコンテンツをコンテンツ復号部５３ａに出力する。
【００３５】
コンテンツ復号部５３ａは、第１記録再生部５２ａから出力されたコンテンツを音声・映像信号に復号し、復号した音声・映像信号を出力部５４ａに出力する。
【００３６】
出力部５４ａは、図には示されてはいないが、ディスプレイ、スピーカなどの外部装置に、コンテンツ復号部５３ａから出力された音声・映像信号を出力する。
【００３７】
さらに、第１記録再生部５２ａは、著作権保護対象のコンテンツを第１記録媒体２ａから第２記録媒体３ａに移動する際には、移動対象のコンテンツを第１記録媒体２ａから読み出し、読み出したコンテンツを第２記録再生部５５ａに出力する。
【００３８】
第２記録再生部５５ａは、第１記録再生部５２ａから出力されたコンテンツに対して必要な処理を施した後に、必要な処理を施したコンテンツを第２記録媒体３ａに書き込む。
【００３９】
続いて、実施の形態における記録再生装置１ａの詳細な機能構成について説明する。ここでは、主に、第１記録再生部５２ａについて説明する。
【００４０】
図４（ａ）に示されるように、第１記録再生部５２ａは、コンテンツ保護部６１ａ、読み出し部６２ａ、書き込み部６３ａなどを備える。
【００４１】
コンテンツ保護部６１ａは、コンテンツ保護機能を有し、第１記録媒体２ａに記録されるコンテンツと、記録されているコンテンツとの著作権を保護する。
【００４２】
読み出し部６２ａは、読み出し指定を受けたコンテンツを第１記録媒体２ａから読み出す。
【００４３】
書き込み部６３ａは、書き込み指定を受けたコンテンツを第１記録媒体２ａに書き込む。
【００４４】
図４（ｂ）に示されるように、コンテンツ保護部６１ａは、さらに、制御部７１ａ、ムーブ処理部７２ａ、移動先情報生成部７３ａなどを備える。
【００４５】
制御部７１ａは、入力部５１ａから出力された操作情報、すなわち、ユーザ操作に応じて、コンテンツ又はその一部を移動する場合には、ムーブ処理部７２ａを制御してムーブ処理を実行させ、そのコンテンツ又はその一部を移動させる。
【００４６】
ムーブ処理部７２ａは、移動対象のコンテンツ又はその一部（以下、ムーブ対象データと呼称する。）を移動する前に、移動先情報生成部７３ａに移動先情報を生成させる。また、第１記録媒体２ａから読み出し、読み出したムーブ対象データを第２記録再生部５５ａに出力する。さらに、第１記録媒体２ａに記録されているムーブ対象データを再生不能な状態に書き換える。
【００４７】
移動先情報生成部７３ａは、出力部５４ａを介して移動先設定画像をディスプレイ５ａなどに表示し、移動先設定画像を介して移動先に係る情報（以下、移動先情報と呼称する。）を受け付ける。そして、入力部５１ａを介して受け付けた移動先情報に基づいて、再生に伴ってムーブ対象データの移動先が告知される移動先告知画像を生成する。生成した移動先告知画像をムーブ処理部７２ａに渡す。
【００４８】
そして、ムーブ処理部７２ａは、移動先情報生成部７３ａから渡された移動先告知画像を受け取ると、受け取った移動先告知画像をストリームに符号化し、符号化したストリームを、移動元のコンテンツの先頭部分とムーブ対象データが存在した部分とに挿入する。
【００４９】
なお、移動先情報生成部７３ａは、移動先告知画像を生成するにあたり、移動先の記録媒体を特定する情報（以下、媒体特定情報と呼称する。）を、下記（１）〜（３）のいずれかの方法によって生成するとしてもよい。
【００５０】
（１）移動先設定画像を介してユーザから媒体特定情報も受け付ける。なお、一度、受け付けられた媒体特定情報は、次回から選択肢から選択され得るように選択肢に追加する。
【００５１】
（２）移動先設定画像を介してユーザが指定した移動先の記録媒体から、その記録媒体に固有の情報を媒体特定情報として取得する。
【００５２】
（３）記録媒体毎に短い識別番号をランダムに割り当て、割り当てた識別番号を媒体特定情報とする。
【００５３】
なお、移動先情報生成部７３ａは、移動先告知画像の代わりに、移動先が告知される音声情報を生成するとしてもよい。
【００５４】
なお、第２記録再生部５５ａは、第１記録再生部５２ａと同一の構成としてもよいし、第１記録再生部５２ａからコンテンツ保護部６１ａを省略した構成としてもよい。
【００５５】
続いて、実施の形態における記録再生装置においてムーブ処理が実行される前と実行された後とのコンテンツのデータ構造について説明する。
【００５６】
図５に示されるように、ムーブ処理が実行される前は、コンテンツ１０１が第１記録媒体２ａに記録されている。ムーブ処理が実行された際には、コンテンツ１０１の移動部分１１２が第２記録媒体３ａに移動される。そして、ムーブ処理が実行された後は、残留コンテンツ１０２が第１記録媒体２ａに記録される。
【００５７】
ここで、残留コンテンツ１０２は、残留部分１１１、１１３と挿入部分１２１、１２２とから構成される。
【００５８】
残留部分１１１、１１３は、コンテンツ１０１から移動部分１１２を除いた部分であり、ムーブ処理が実行されても、移動されずに残った部分である。
【００５９】
挿入部分１２１、１２２は、移動部分１１２の移動に伴って生成された移動先情報が挿入される部分であり、残留コンテンツ１０２の再生に伴って移動先告知画像２０１が再生される部分である。
【００６０】
なお、移動先告知画像は、残留部分１１１、１１３に対してシームレスに再生されるように符号化されている。
【００６１】
続いて、実施の形態における記録再生装置においてムーブ処理が実行される際にディスプレイに表示される移動先設定画像について説明する。
【００６２】
図６に示されるように、記録再生装置１ａは、リモート・コントローラ６ａを介して、ユーザからムーブリクエストを受け付けた場合には、移動先設定画像を構成する。そして、構成した移動先設定画像を、出力部５４ａを介してディスプレイ５ａに出力する。
【００６３】
例えば、ディスプレイ５ａに表示されている移動先設定画像は、ムーブ先選択肢３０１、ムーブ対象選択肢３０２、キャンセルボタン３０３、クリアボタン３０２、決定ボタン３０５、ムーブ開始画像表示フレーム３０６から構成される。
【００６４】
ムーブ先選択肢３０１は、選択設定されると、設定されたものが移動先の記録媒体に設定される選択肢である。
【００６５】
ムーブ対象選択肢３０２は、選択設定されると、設定されたものがムーブ対象データに設定される選択肢である。
【００６６】
キャンセルボタン３０３は、決定されると、設定された内容がキャンセルされるボタンである。
【００６７】
クリアボタン３０４は、決定されると、設定された内容がクリアされるボタンである。
決定ボタン３０５は、決定されると、設定された内容が移動先情報として決定されるボタンである。
【００６８】
ムーブ開始画像表示フレーム３０６は、ムーブ開始画像が表示されるフレームである。
そして、ユーザがリモート・コントローラ６ａを操作して、ムーブ先選択肢３０１において、”ＳＤカード０１２３４５”を選択設定し、ムーブ対象選択肢３０２において、”ここから２０分間”を選択設定し、”２００４／７／１３  １１：３０”に決定ボタン３０５が決定すると、記録再生装置１ａは、移動先告知画像２０１を構成し、構成した移動先告知画像２０１ストリームに符号化する。符号化したストリームを残留コンテンツ１０２の挿入部分１２１と、残留部分１１１と残留部分１１３の間の挿入部分１２２に記録する。
【００６９】
続いて、実施の形態における記録再生装置において実行されるムーブ処理について説明する。
【００７０】
図７に示されるように、ムーブ処理部７２ａは、ムーブ対象データを移動する前に、移動先情報を生成する要求を移動先情報生成部７３ａに出力する。
【００７１】
これに対して、移動先情報生成部７３ａは、移動先情報生成処理を実行し（ステップＳ１０１）、実行した結果得られる移動先告知画像をムーブ処理部７２ａに渡す。
【００７２】
さらに、ムーブ処理部７２ａは、第１記録媒体２ａからムーブ対象データを読み出し（ステップＳ１０２）、読み出したムーブ対象データに対する書き込み要求を第２記録再生部５５ａに出力する（ステップＳ１０３）。
【００７３】
これに対して、第２記録再生部５５ａは、ムーブ処理部７２ａから出力された書き込み要求を受け付け、受け付けた書き込み要求と共に受け取ったムーブ対象データを第２記録媒体３ａに書き込む。
【００７４】
また、ムーブ処理部７２ａは、第１記録媒体２ａに記録されているムーブ対象データを再生不能な状態に書き換える（ステップＳ１０４）。そして、移動先情報生成部７３ａから渡された移動先告知画像を受け取ると、受け取った移動先告知画像をストリームに符号化し（ステップＳ１０５）、符号化したストリームを、残留コンテンツの先頭部分と移動部分とに挿入する（ステップＳ１０６）。
【００７５】
続いて、実施の形態における移動先情報生成部において実行される移動先情報生成処理について説明する。
【００７６】
図８に示されるように、移動先情報生成部７３ａは、出力部５４ａを介して移動先設定画像をディスプレイ５ａなどに表示し（ステップＳ１１１）、移動先設定画像を介して移動先情報を受け付ける（ステップＳ１１２）。そして、入力部５１ａを介して受け付けた移動先情報に基づいて、再生に伴ってムーブ対象データの移動先が告知される移動先告知画像を生成する（ステップＳ１１３）。生成した移動先告知画像をムーブ処理部７２ａに渡す（ステップＳ１１４）。
【００７７】
以上説明したように実施の形態における記録再生装置によれば、著作権保護対象のコンテンツ又はその一部を第１の記録媒体から第２の記録媒体に移動する際に、第１の記録媒体に記録されていたコンテンツのうち、第１の記録媒体に残留部分と、第２の記録媒体に移動されて再生不能な状態に書き換えられた移動部分とから構成される残留コンテンツの先頭部分と移動部分とに移動先告知画像を挿入する。そして、残留コンテンツを再生する際に、移動先告知画像を挿入した部分も含めて再生する。
【００７８】
これにより、移動した部分の内容をユーザが続けて再生する際に、移動先告知画像を確認することで、移動先の記録媒体を特定することができる。
【００７９】
特に、コンテンツの一部を他の記録媒体に移動し、残留コンテンツを、さらに、他の記録媒体に移動した場合には、２番目に移動したコンテンツ、すなわち、残留コンテンツを再生したユーザが、１番目に移動した部分を再生したい場合には、２番目に移動したコンテンツに挿入された移動先告知画像を確認して、１番目に移動した部分が、何れの記録媒体に移動されたかを特定することができる。
【００８０】
（その他）
なお、コンテンツの代わりに番組管理用メタデータに移動先情報を挿入するとしてもよい。
【００８１】
図９に示されるように、例えば、移動後の番組管理用メタデータ１０５は、移動前の番組管理用メタデータ１０３に、斜線で示される部分１６２に係る移動先情報が付加された番組管理用メタデータである。
【００８２】
これによって、タイトル画面にも、移動先情報を表示することができる。
さらには、移動先情報を画像信号、音声信号を管理するための管理データに挿入するとしてもよい。この場合においては、コンテンツを再生する前に、メニュー表示を行った時点でコンテンツの途中がムーブされていることを告知することができて、より利便性が増す。例えば、コンテンツを一覧表示する際のサムネイル画像に字幕として移動先情報を多重し、新たなサムネイル画像として添付することで、サムネイル画像を表示した時点で、途中がムーブされたコンテンツであることがわかり、便利である。
【００８３】
なお、コンテンツは、ＭＰＥＧ２トランスポートストリーム形式のストリームとしてもよいし、ＭＰＥＧ２プログラムストリームとしてもよい。
【００８４】
なお、第１の記録媒体から第２の記録媒体に移動する際に、移動対象のコンテンツ又はその一部に対して、解像度変換、レート変換などの変換処理を施してから、変換後の内容を第２の記録媒体に記録するとしてもよい。
【００８５】
例えば、ＢＤ−ＲＥからＤＶＤ−ＲＡＭに移動する際には、ＢＤ−ＲＥに記録されているＭＰＥＧ２−ＴＳ形式のコンテンツの解像度をＨＤＴＶ（High Definition Television）からＳＤＴＶ（Standard Definition Television）に変換し、データレートを下げたＭＰＥＧ２−ＰＳ形式のコンテンツにしてから、ＤＶＤ−ＲＡＭに記録する。
【００８６】
これにより、図１０に示されるように、例えば、再生処理部８１ｃ、コンテンツ復号部８２ｃ、音声・映像出力部８３ｃなどを備える低消費電力で小型軽量の再生装置５ｃでも再生することができる。
【００８７】
再生処理部８１ｃは、第２記録媒体３ｃに記録されているコンテンツを読み出し、読み出したコンテンツをコンテンツ復号部８３ｃに出力する。
【００８８】
コンテンツ復号部８２ｃは、再生処理部８１ｃから出力されたコンテンツを音声・映像信号に復号し、復号した音声・映像信号を音声・映像出力部８１ｃに出力する。
【００８９】
映像・音声出力部８１ｃは、コンテンツ復号部８２ｃから出力された音声・映像信号を、液晶ディスプレイなどの携帯型表示デバイスや携帯型ヘッドホンなどを介してユーザに出力する。
【００９０】
なお、記録再生装置は、第１記録再生部を備え、第２記録再生部を備えないとしてもよい。
【００９１】
図１１に示されるように、例えば、第１記録再生部は、記録再生装置１ｄに備わり、第２記録再生部は、記録再生装置６ｄに備わるとしてもよい。このとき、記録再生装置１ｄは、第１記録媒体２ｄに記録されているコンテンツを第３記録媒体７ｄに移動する際には、携帯型記録再生装置６ｄを介して、第３記録媒体７ｄに係る媒体特定情報を取得する。
【００９２】
なお、媒体特定情報は、ディスプレイなどに表示されるとしてもよいし、プリンタに出力されるとしてもよい。例えば、ディスプレイに表示される場合には、ディスプレイに表示された媒体特定情報を記録媒体のラベルにユーザが記すことによって識別することができる。プリンタに出力される場合には、媒体特定情報が印刷されたラベルシールを記録媒体にユーザが貼ることによって識別することができる。
【００９３】
図１３に示されるように、例えば、記録再生装置１ｄは、第１記録媒体２ｄを読み書きする第１記録再生部と、第２記録媒体３ｄを読み書きする第２記録再生部とを備え、第１記録媒体２ｄに記録されているコンテンツを第２記録媒体３ｄに移動する際には、第２記録再生部を介して、第２記録媒体３ｄに係る媒体特定情報を取得し、取得した媒体特定情報をプリンタ９ｄに出力してラベルシールに印刷する。
【００９４】
なお、ブリッジクリップの仕組みを用いて、前後のコンテンツから滑らかに移動先告知画像を表示するとしてもよい。
【００９５】
「ブリッジクリップ」とは、ＢＤ−ＲＥ規格においてストリームのつなぎ目を滑らかに再生するための仕組みであり、詳細は下記の参考文献１に記載されている。
【００９６】
［参考文献１］  杉村直純  他、著  「４部＜論理フォーマット＞放送番組はディスクにどう格納されるのか」日経ＢＰ社  「次世代光ディスク  解体新書」pp.82-83、２００３年
なお、記録再生装置制御プログラムは、コンピュータシステム、組み込みシステム等のようなハードウェアシステムに読み出され得るように、光学記録媒体（例えば、ＣＤ−ＲＯＭ等。）、磁気記録媒体（例えば、ハードディスク等。）、光磁気記録媒体（例えば、ＭＯ等。）、半導体メモリ（例えば、メモリカード等。）等のようなコンピュータ読み取り可能な記録媒体に記録しておくとしてもよい。そして、これ等の記録媒体を介して、他のハードウェアシステムにおいて実行されるとしてもよい。
【００９７】
また、ネットワーク上のハードウェアシステムに記録再生装置制御プログラムを保持しておき、ネットワークを介して記録再生装置制御プログラムをダウンロードした他のハードウェアシステムにおいて実行されるとしてもよい。
【００９８】
なお、コンテンツ保護部は、ＲＯＭに格納されているプログラムによって記録再生装置に実現されるとしてもよいし、システムＬＳＩに組み込まれているとしてもよい。
【００９９】
なお、システムＬＳＩは、フルカスタムＬＳＩ（Large Scale Integration）によって実現されるとしてもよい。また、ＡＳＩＣ（Application Specific Integrated Circuit）等のようなセミカスタムＬＳＩによって実現されるとしてもよい。また、ＦＰＧＡ（Field Programmable Gate Array）、ＣＰＬＤ（Complex Programmable Logic Device）等のようなプログラマブル・ロジック・デバイスによって実現されるとしてもよい。また、動的に回路構成が書き換え可能なダイナミック・リコンフィギュラブル・デバイスとして実現されるとしてもよい。
【０１００】
さらに、コンテンツ保護部を構成する１乃至２以上の機能を、これ等のＬＳＩに形成する設計データは、ＶＨＤＬ（Very high speed integrated circuit Hardware Description Language）、Ｖｅｒｉｌｏｇ−ＨＤＬ、ＳｙｓｔｅｍＣ等のようなハードウェア記述言語によって記述されたプログラム（以下、ＨＤＬプログラムと呼称する。）としてもよい。また、ＨＤＬプログラムを論理合成して得られるゲート・レベルのネットリストとしてもよい。また、ゲート・レベルのネットリストに、配置情報、プロセス条件等を付加したマクロセル情報としてもよい。また、寸法、タイミング等が規定されたマスクデータとしてもよい。
【０１０１】
さらに、設計データは、コンピュータシステム、組み込みシステム等のようなハードウェアシステムに読み出され得るように、光学記録媒体（例えば、ＣＤ−ＲＯＭ等。）、磁気記録媒体（例えば、ハードディスク等。）、光磁気記録媒体（例えば、ＭＯ等。）、半導体メモリ（例えば、ＲＡＭ等。）等のようなコンピュータ読み取り可能な記録媒体に記録しておくとしてもよい。そして、記録媒体を介して他のハードウェアタシステムに読み取られた設計データは、ダウンロードケーブルを介して、プログラマブル・ロジック・デバイスにダウンロードされるとしてもよい。
【０１０２】
または、設計データは、ネットワーク等のような伝送路を経由して他のハードウェアシステムに取得され得るように、伝送路上のハードウェアシステムに保持しておくとしてもよい。さらに、ハードウェアシステムから伝送路を介して他のハードウェアタシステムに取得された設計データは、ダウンロードケーブルを介して、プログラマブル・ロジック・デバイスにダウンロードされるとしてよい。
【０１０３】
または、論理合成、配置、配線された設計データは、通電時にＦＰＧＡに転送され得るように、シリアルＲＯＭに記録しておくとしてもよい。そして、シリアルＲＯＭに記録された設計データは、通電時に、直接、ＦＰＧＡにダウンロードされるとしてもよい。
【０１０４】
または、論理合成、配置、配線された設計データは、通電時に、マイクロプロセッサによって生成されて、ＦＰＧＡにダウンロードされるとしてもよい。
【産業上の利用可能性】
【０１０５】
本発明は、著作権保護機能を有する記録再生装置として、特に、著作権保護対象のデジタルテレビ放送を一度記録した記録媒体から他の記録媒体にその全部または一部を移動した場合において、移動先の記録媒体を特定することができる記録再生装置等として、利用することができる。
【図面の簡単な説明】
【０１０６】
【図１】実施の形態における記録再生装置の概要を示す図である。
【図２】実施の形態における記録再生装置のハードウェアの構成を示す図である。
【図３】実施の形態における記録再生装置の機能構成を示す図である。
【図４】実施の形態における記録再生装置の詳細な機能構成を示す図である。
【図５】実施の形態における記録再生装置においてムーブ処理が実行される前と実行された後とのコンテンツのデータ構造を示す図である。
【図６】実施の形態における記録再生装置においてムーブ処理が実行される際にディスプレイに表示される移動先設定画像の例を示す図である。
【図７】実施の形態における記録再生装置において実行されるムーブ処理を示す図である。
【図８】実施の形態における移動先情報生成部において実行される移動先情報生成処理を示す図である。
【図９】その他の実施の形態における記録再生装置においてムーブ処理が実行される前と実行された後とのコンテンツのデータ構造を示す図である。
【図１０】その他の実施の形態における再生装置の概要構成を示す図である。
【図１１】その他の実施の形態における据置型の記録再生装置と携帯型の記録再生装置との概要を示す図である。
【図１２】その他の実施の形態における記録再生装置とプリンタとの概要を示す図である。
【符号の説明】
【０１０７】
１ａ  記録再生装置
２ａ  第１記録媒体
３ａ  第２記録媒体
５ａ  ディスプレイ
６ａ  リモート・コントローラ
１１ａ  マイクロプロセッサ
１２ａ  システムＬＳＩ
１３ａ  ＲＡＭ
１４ａ  ＲＯＭ
１５ａ  入出力インターフェース
２１ａ  第１記録再生ドライブ
３１ａ  第２記録再生ドライブ
５１ａ  入力部
５２ａ  第１記録再生部
５３ａ  コンテンツ復号部
５４ａ  出力部
５５ａ  第２記録再生部
６１ａ  コンテンツ保護部
６２ａ  読み出し部
６３ａ  書き込み部
７１ａ  制御部
７２ａ  ムーブ処理部
７３ａ  移動先情報生成部
２ｂ  第１記録媒体
３ｂ  第２記録媒体
３ｃ  第２記録媒体
５ｃ  再生装置
８１ｃ  再生処理部
８２ｃ  コンテンツ復号部
８３ｃ  音声・映像出力部
１ｄ  据置型の記録再生装置
２ｄ  第１記録媒体
３ｄ  第２記録媒体
６ｄ  携帯型の記録再生装置
７ｄ  第３記録媒体
９ｄ  プリンタ
【図１】
2006155819.tif 000003
【図２】
2006155819.tif 000004
【図３】
2006155819.tif 000005
【図４】
2006155819.tif 000006
【図５】
2006155819.tif 000007
【図６】
2006155819.tif 000008
【図７】
2006155819.tif 000009
【図８】
2006155819.tif 000010
【図９】
2006155819.tif 000011
【図１０】
2006155819.tif 000012
【図１１】
2006155819.tif 000013
【図１２】
2006155819.tif 000014